(57)【要約】【課題】  水中撮影時に露出不足となることを回避することのできる防水型レンズ付きフイルムユニットを提供する。【解決手段】  防水型レンズ付きフイルムユニット２は、カバー本体５と蓋体６により、ユニット本体４を水密に収容した構成となっている。カバー本体５には、絞り切替ボタン９が設けられている。ユニット本体４には、絞りを切り替える絞り切替機構が設けられており、絞り切替ボタン９が押圧操作されたとき大絞り状態となり、絞り切替ボタン９の大圧が解除されたとき小絞り状態となる。また、絞り切替機構による小絞り／大絞りの切り替えに連動して、シャッタ速度を高速／低速に切り替えるシャッタ速度切替機構を設けることが好ましい。さらに、絞り切替ボタン９の代わりに、カバー本体５へ加わる水圧によって絞り切替機構を駆動する圧力駆動機構を設けるようにしてもよい。【選択図】        図１
2005283642.tif 000002
【特許請求の範囲】
【請求項１】
写真フイルムが装填されるとともに撮影機構が組み込まれたユニット本体が防水ケースにより水密に収容されてなる防水型レンズ付きフイルムユニットにおいて、
露出の高低を切り替える露出切替手段と、前記防水ケースの外部から前記露出切替手段の露出切り替え操作を可能とする露出切替操作手段とを備えたことを特徴とする防水型レンズ付きフイルムユニット。
【請求項２】
写真フイルムが装填されるとともに撮影機構が組み込まれたユニット本体が防水ケースにより水密に収容されてなる防水型レンズ付きフイルムユニットにおいて、
露出の高低を切り替える露出切替手段と、前記防水ケースの外部に加わる圧力に基づいて前記露出切替手段を駆動して露出切り替えを行う圧力駆動手段とを備え、前記防水ケースの外部に所定以上の水圧が加わった場合に露出を高く設定し、前記水圧が解除された場合に露出を低く設定することを特徴とする防水型レンズ付きフイルムユニット。
【請求項３】
前記露出切替手段は、絞りを小絞りと大絞りとの間で切り替えることを特徴とする請求項１又は２記載の防水型レンズ付きフイルムユニット。
【請求項４】
前記露出切替手段は、絞りを小絞りと大絞りとの間で切り替えるとともに、シャッタ速度を高速と低速との間で切り替えることを特徴とする請求項１又は２記載の防水型レンズ付きフイルムユニット。
【請求項５】
前記露出切替手段は、撮影光軸上に挿脱自在に設けられたＮＤフィルタにより、撮影レンズに入射する被写体光量の大小を切り替えることを特徴とする請求項１ないし４いずれか記載の防水型レンズ付きフイルムユニット。
【請求項６】
前記写真フイルムは、ＩＳＯ８００以上の感度を有することを特徴とする請求項１ないし５いずれか記載の防水型レンズ付きフイルムユニット。
【発明の詳細な説明】
【技術分野】
【０００１】
本発明は、水中撮影が可能な防水型レンズ付きフイルムユニットに関するものである。
【背景技術】
【０００２】
手軽に誰でも写真撮影が楽しめる１回使用型の簡易型カメラであるレンズ付きフイルムユニット）が普及している。予め写真フイルムが装填された状態で販売されているレンズ付きフイルムユニットは、撮影後は写真フイルムを取り出すことなく、そのままの状態で現像取扱店に出せば良いという簡便さと安価なことから、一般に広く利用されている。このようなレンズ付きフイルムユニットを水中でも利用できるようにする目的で、水密構造にした防水ケースにレンズ付きフイルムユニットを収納し、防水ケースの外から撮影操作ができるようにした防水型レンズ付きフイルムユニットが知られており（例えば、特許文献１参照）、本出願人から市販されている。
【０００３】
【特許文献１】特開２００２−３６５７７１号公報
【発明の開示】
【発明が解決しようとする課題】
【０００４】
しかしながら、このような防水型レンズ付きフイルムユニットは、陸上でも水中でも撮影可能であるが、水深の深いところで水中撮影を行うと太陽光線が届きにくいため、露出不足となって暗く露光アンダーの写真となることが多いという問題点があった。
【０００５】
本発明は、陸上及び水中撮影が可能であって、水中撮影時に露出不足となることを回避することのできる防水型レンズ付きフイルムユニットを提供することを目的とする。
【課題を解決するための手段】
【０００６】
本発明の防水型レンズ付きフイルムユニットは、写真フイルムが装填されるとともに撮影機構が組み込まれたユニット本体が防水ケースにより水密に収容されてなる防水型レンズ付きフイルムユニットにおいて、露出の高低を切り替える露出切替手段と、前記防水ケースの外部から前記露出切替手段の露出切り替え操作を可能とする露出切替操作手段とを備えたことを特徴とする。
【０００７】
また、本発明の防水型レンズ付きフイルムユニットは、写真フイルムが装填されるとともに撮影機構が組み込まれたユニット本体が防水ケースにより水密に収容されてなる防水型レンズ付きフイルムユニットにおいて、露出の高低を切り替える露出切替手段と、前記防水ケースの外部に加わる圧力に基づいて前記露出切替手段を駆動して露出切り替えを行う圧力駆動手段とを備え、前記防水ケースの外部に所定以上の水圧が加わった場合に露出を高く設定し、前記水圧が解除された場合に露出を低く設定することを特徴とする。
【０００８】
なお、前記露出切替手段は、絞りを小絞りと大絞りとの間で切り替えることが好ましい。
【０００９】
また、前記露出切替手段は、絞りを小絞りと大絞りとの間で切り替えるとともに、シャッタ速度を高速と低速との間で切り替えることも好適である。
【００１０】
また、前記露出切替手段は、撮影光軸上に挿脱自在に設けられたＮＤフィルタにより、撮影レンズに入射する被写体光量の大小を切り替えることも好適である。
【００１１】
さらに、前記写真フイルムは、ＩＳＯ８００以上の感度を有することが好ましい。
【発明の効果】
【００１２】
本発明の防水型レンズ付きフイルムユニットは、防水ケースの外部から露出切替手段の露出切り替え操作を行い得る露出切替操作手段を備えているので、光量が不足する水中撮影時において露出を高く切り替え操作することができ、露出不足を回避することができる。
【００１３】
また、本発明の防水型レンズ付きフイルムユニットは、防水ケースの外部に加わる圧力に基づいて露出切替手段を駆動して露出切り替えを行う圧力駆動手段とを備え、防水ケースの外部に所定以上の水圧が加わった場合に露出を高く設定し、前記水圧が解除された場合に露出を低く設定するので、陸上撮影と水中撮影とにおいて、撮影者が露出切り替え操作を行う必要がなく、自動的に露出の切り替えが行われる。すなわち、水中撮影時に自動的に露出が高く切り替えられ、露出不足を回避することができる。
【発明を実施するための最良の形態】
【００１４】
図１に示す本発明第１実施形態の防水型レンズ付きフイルムユニット２は、プラスチックの成形品からなる防水カバー３と、その内部に水密に収容されるユニット本体４とから構成されている。防水カバー３は、ユニット本体４の前面及び側面を覆うカバー本体５と、背面を覆う蓋体６とからなる。カバー本体５には、レリーズレバー７、巻き上げノブ８、及び絞り切替ボタン９が設けられるとともに、前面窓１０及び天窓１１が形成されている。カバー本体５は、不透明プラスチックの成形品で構成されているが、前面窓１０及び天窓１１には、透明プラスチックが用いられている。蓋体６は、前面窓９と同様な透明プラスチックから構成されており、カバー本体５との接合箇所には、水密性を保つためのゴムパッキンが設けられている。
【００１５】
ユニット本体４の前面には、撮影レンズ１２とファインダレンズ１３が露呈されており、いずれも前面窓１０に対面する。また、ユニット本体４の天面には、カウンタ表示窓１４が設けられ、カウンタ板１５（図２参照）上の目盛りにより、残りの撮影回数が表示される。このカウンタ表示窓１４は、カバー本体５の天窓１１に対面するので、防水カバー３の外側から撮影回数を確認することができる。
【００１６】
図２において、ユニット本体４は、各種撮影機構が組み込まれた本体基部２０と、その前後を覆う遮光カバー２１ａ，２１ｂとからなり、いずれも黒色プラスチックの成形品で構成されている。本体基部２０には、その上部に周知のシャッタチャージ機構、フイルム巻止め機構、フイルムカウント機構、ファインダ光学系などが設けられ、側部には、カートリッジ室２２及びフイルム室２３が一体に形成されている。また、本体基部２０の撮影レンズ１２の背部には、遮光筒２４が設けられており、その周囲に後述するシャッタレリーズ機構と絞り切替機構（第１露出切替手段）とが組み込まれている。
【００１７】
フイルムカートリッジ２５から引き出された写真フイルム２６は、ロール状に巻かれてフイルム室２３に収納される。一方、フイルムカートリッジ２５は、カートリッジ室２２に収納される。カートリッジ室２２の上部に設けられた巻上げギア２７は、その下端でフイルムカートリッジ２５のスプール２８と係合する。また、巻上げギア２７は、前述の巻上げノブ８とその軸上で噛合しており、巻上げノブ８の回転操作に伴ってスプール２８を回転させる。スプール２８の回転により、フイルム室２３内の写真フイルム２６がフイルムカートリッジ２５に向かって移動し、これに伴ってシャッタチャージが行われる。
【００１８】
遮光カバー２１ａには、撮影レンズ１２、ファインダレンズ１３、巻上げギア２６を露呈させる各開口のほか、シャッタチャージ機構を露呈させる開口２９、及び絞り切替機構の一部を露呈させる孔３０が形成されている。前述のレリーズレバー７の操作変位は、開口２９を介してシャッタチャージ機構に伝達される。レリーズレバー７が回動操作されると、シャッタチャージが解除されるとともにシャッタレリーズ機構が動作してシャッタレリーズが行われる。
【００１９】
前述の絞り切替ボタン９は、その背面に円柱状の棒部材９ａが接合されている。また、カバー本体５の前面には、その中央部に貫通した孔を有するボス５ａが形成されている。このボス５ａの孔の小径にリング状のパッキン３１が収容され、ボス５ａの外周にはコイル状のバネ３２が組み付けられている。絞り切替ボタン９の棒部材９ａは、パッキン３１を介してボス５ａの孔を挿通し、カバー本体５の背面側に突き抜けている。パッキン３１は、棒部材９ａのカバー本体５に対する前後の摺動を許容し、かつ、ボス５ａと棒部材９ａとの間を水密に保持する。
【００２０】
バネ３２は、絞り切替ボタン９を前方に向けて付勢しており、絞り切替ボタン９の押圧操作が解除されたとき、絞り切替ボタン９を初期位置に復帰させる。棒部材９ａの先端部分は、遮光カバー２１ａの孔３０に挿入されており、絞り切替ボタン９の操作変位は、絞り切替機構に伝達される。絞り切替ボタン９が押圧操作されると、絞り切替機構によって撮影レンズ１２背部の絞り開口の大きさが切り替わる。
【００２１】
本体基部２０の背面を覆う遮光カバー２１ｂは、カートリッジ室２２とフイルム室２３の後部を覆って、予め装填された写真フイルム２６を遮光するとともに、フイルムガイド３３によって両室の間にフイルム給送路を形成する。
【００２２】
図３は、遮光筒２４に形成されたの露光開口２４ａの前方に組み込まれた絞り切替機構に関連する部品の構成を示した分解斜視図である。シャッタ羽根４０には、ピンに挿通されて揺動自在に保持される孔４０ａと、露光開口２４ａの前方に配置されて露光開口２４ａの開閉を行う開閉部４０ｂと、バネ４１の一端が掛けられるピン４０ｃと、シャッタ駆動レバーによって蹴飛ばされる突出部４０ｄとが設けられている。
【００２３】
シャッタ羽根４０は、バネ４１に付勢されて露光開口２４ａを塞ぐ閉じ位置に保持されている。レリーズレバー７が回動操作されると、図示しないシャッタ駆動レバーによって突出部４０ｄが図中左方から右方へと蹴飛ばされ、バネ４１の付勢に抗して開閉部４０ｂが時計回り方向に回動する。これにより、露光開口２４ａが開放されて写真フイルム２６が露光される。
【００２４】
レンズホルダ４２は撮影レンズ１２等を保持するものである。レンズホルダ４２の前面には、撮影レンズ１２や、大絞り開口が形成された絞り板等が収納される円筒形状の鏡筒４３と、くの字形状の絞り切替板４４を揺動自在に支持するピン４５とが設けられている。絞り切替板４４は、孔４４ａがピン４５に挿入されることにより、レンズホルダ４２の前面に揺動自在に保持され、鏡筒４３に形成された切欠部分から鏡筒４３内に挿脱される。小絞り開口４４ｂを撮影光軸上に挿脱することで、絞り（Ｆ値）が切り替えられる。なお、図示していないが、レンズホルダ４２の前面には、撮影レンズ１２や絞り切替板４４等を押さえるレンズ押さえ板が取り付けられる。
【００２５】
レンズホルダ４２の鏡筒４３の外周には、切替リング４６が回動自在に嵌入される。切替リング４６は、円形で環状の円環部４７と、円環部４７から外側に延出した延出部４８とからなる。円環部４７には、絞り切替板４４の屈曲したスリット４４ｃに挿入されるリンクピン４７ａが設けられている。延出部４８の付け根付近には、バネ４９の一端が掛けられるバネ掛けピン４８ａが設けられている。また、延出部４８は、円環部４７と同心の円弧状に時計回り方向に曲げられ、この円弧部分に前述の絞り切替ボタン９の棒部材９ａによって押圧される押圧面４８ｂが形成されている。延出部４８の円弧部分は、時計回り方向に向かうに従って肉厚が薄くなっており、押圧面４８ｂは棒部材９ａの移動方向に対して傾斜している（図４（Ｂ）及び図５（Ｂ）参照）。
【００２６】
バネ４９の他端は、レンズホルダ４２の前面下部に形成されたピン５０に掛けられ、切替リング４６を図中時計回り方向に付勢する。なお、バネ４９によって付勢された切替リング４６は、初期位置に保持される。
【００２７】
図４（Ａ），（Ｂ）は、この初期位置にある切替リング４６及び絞り切替板４４の状態を示す。このとき、絞り切替ボタン９は押圧操作されておらず、棒部材９ａが延出部４８から離間した状態にある。切替リング４６が初期位置にある際には、絞り切替板４４は鏡筒４３内に挿入され、小絞り開口４４ｂが撮影光軸上に配置される。小絞り開口４４ｂは、鏡筒４３が保持する絞り板に形成された光軸上の大絞り開口５１より小径であるので、小絞り開口４４ｂが有効となって小絞り状態となる。
【００２８】
絞り切替ボタン９がカバー本体５の外側から押圧操作されると、図５（Ａ），（Ｂ）に示すように、棒部材９ａが延出部４８の押圧面４８ｂを押圧し、切替リング４６が図中反時計回り方向に回動される。これは、押圧面４８ｂが棒部材９ａの移動方向に対して傾斜しているので、延出部４８が棒部材９ａの押圧量に応じて押圧方向と垂直にスライド移動することによる。この切替リング４６の回動により、リンクピン４７ａによってスリット４４ｃが押圧された絞り切替板４４は、図中時計回り方向に回動して光軸上から退避し、絞り板に形成された光軸上の大絞り開口５１が有効となり大絞り状態となる。
【００２９】
なお、絞り切替板４４のスリット４４ｃは、絞り切替板４４が小絞り位置にあるときに切替リング４６の円環部４７と同心となる円弧と、絞り切替板４４が大絞り位置にあるときに円環部４７と同心となる円弧とが組み合わされた形状となっている。これにより、振動や衝撃、撮影者の操作ミス等によって切替リング４６が僅かに回動しても、絞り切替板４４は揺動することはないため、絞り切替板４４が中途半端な位置に停止されて撮影が行なわれることはない。
【００３０】
以上の防水型レンズ付きフイルムユニット２において、例えば、写真フイルム２６としてＩＳＯ８００の高感度フイルムを使用し、シャッタ速度を１／１４０秒、絞り切替ボタン９を押さない小絞り状態でのＦ値をＦ１０（低露出モード）、絞り切替ボタン９を押した大絞り状態でのＦ値をＦ５．６（高露出モード）と構成する。撮影者は、このように絞り切替ボタン９を押すか否かでＦ値を切り替えることができ、陸上での撮影時には絞り切替ボタン９を押さずに低露出モードで撮影を行い、水中での撮影時には絞り切替ボタン９を押したまま高露出モードで撮影を行えばよい。このようにして、水中撮影での露出不足が解消される。
【００３１】
上記第１実施形態では、絞り切替ボタン９の操作に応じて絞りが切り替わるように構成された。次に、第２実施形態として、絞り切替ボタン９の操作に応じて絞りとともに、シャッタ速度も切り替わるようにした防水型レンズ付きフイルムユニットを説明する。図６は、連動して動作する絞り切替機構（第１露出切替手段）及びシャッタ速度切替機構（第２露出切替手段）に関連する部品の構成を示した分解斜視図である。なお、第１実施形態と共通に用いられる部品については同一の符号を付しており、図１及び図２において符号を付した示した構成部はそのまま共通に本第２実施形態に用いられる。
【００３２】
シャッタ羽根６０は、第１実施形態と同様な、ピンに挿通されて揺動自在に保持される孔６０ａ、露光開口２４ａの前方に配置されて露光開口２４ａの開閉を行う開閉部６０ｂ、バネ４１の一端が掛けられるピン６０ｃ、及びシャッタ駆動レバーによって蹴飛ばされる突出部６０ｄのほか、突起６０ｅが形成されている。
【００３３】
シャッタ羽根６０は、バネ４１に付勢されて露光開口２４ａを塞ぐ閉じ位置に保持されている。レリーズレバー７が回動操作されると、図示しないシャッタ駆動レバーによって突出部６０ｄが図中左方から右方へと蹴飛ばされ、バネ４１の付勢に抗して開閉部６０ｂ及び突起６０ｅが時計回り方向に回動する。これにより、露光開口４２ａが開放されて写真フイルム２６が露光される。
【００３４】
レンズホルダ６１の前面には、撮影レンズ１２や、大絞り開口が形成された絞り板等が収納される円筒形状の鏡筒６２と、くの字形状の絞り切替板４４を揺動自在に支持するピン６３とが設けられている。鏡筒６２には切欠部分が形成されており、この切欠部分から絞り切替板４４の小絞り開口４４ｂを撮影光軸上に挿脱することで、絞り（Ｆ値）が切り替えられる。また、レンズホルダ６１の上部には、シャッタ速度切替レバー６４を揺動自在に支持する軸６５が形成されている。シャッタ速度切替レバー６４は、軸６５に支持されるボス６６と、このボス６６の側面から突出された回動アーム６７及び突出片６８と、回動アーム６７の先端に形成されたパッド６９とからなる。
【００３５】
レンズホルダ６１の軸６５の先端には、一対の係止片７０が対称に形成されている。シャッタ速度切替レバー６４のボス６６には、係止片７０が挿入される一対の溝７０が対称に形成されている。シャッタ速度切替レバー６４を軸６５に取り付ける際には、係止片７０と溝７１とが合致するように軸６５をボス６６に挿入し、係止片７０がボス６６の上部に達するまで挿入してからシャッタ速度切替レバー６４を僅かに回動させる。これにより、ボス６６の上面が係止片７０に押さえられる。
【００３６】
レンズホルダ６１の鏡筒６２の外周には、切替リング７２が回動自在に嵌入される。切替リング７２は、円形で環状の円環部７３と、円環部７３から外側に延出した延出部７４とからなる。円環部７３には、絞り切替板４４の屈曲したスリット４４ｃに挿入されるリンクピン７３ａと、シャッタ速度切替レバー６４の突出片６８が間に挟み込まれる一対の挟持ピン７３ｂ，７３ｃとが設けられている。延出部７４の付け根付近には、バネ４９の一端が掛けられるバネ掛けピン７４ａが設けられている。また、延出部７４は、円環部７３と同心の円弧状に時計回り方向に曲げられ、この円弧部分に前述の絞り切替ボタン９の棒部材９ａによって押圧される押圧面７４ｂが形成されている。延出部７４の円弧部分は、時計回り方向に向かうに従って肉厚が薄くなっており、押圧面７４ｂは棒部材９ａの移動方向に対して傾斜している（図７（Ｂ）及び図８（Ｂ）参照）。
【００３７】
バネ４９の他端は、レンズホルダ６１の前面下部に形成されたピン７５に掛けられ、切替リング７２を図中時計回り方向に付勢する。なお、バネ４９によって付勢された切替リング７２は、初期位置に保持される。
【００３８】
図７（Ａ），（Ｂ）は、この初期位置にある切替リング７２、シャッタ速度切替レバー６４、及び絞り切替板４４の状態を示す。このとき、絞り切替ボタン９は押圧操作されておらず、棒部材９ａが延出部７４から離間した状態にある。切替リング７２が初期位置にある際には、絞り切替板４４は鏡筒６２内に挿入され、小絞り開口４４ｂが撮影光軸上に配置されるとともに、シャッタ速度切替レバー６４は、図９（Ａ）に示す高速シャッタ位置に保持される。小絞り開口４４ｂは、鏡筒６２が保持する絞り板に形成された光軸上の大絞り開口５１より小径であるので、小絞り開口４４ｂが有効となって小絞り状態となる。
【００３９】
絞り切替ボタン９がカバー本体５の外側から押圧操作されると、図８（Ａ），（Ｂ）に示すように、棒部材９ａが延出部７４の押圧面７４ｂを押圧し、切替リング７２が図中反時計回り方向に回動される。この切替リング７２の回動により、リンクピン７３ａによってスリット４４ｃが押圧された絞り切替板４４は、図中時計回り方向に回動して光軸上から退避するとともに、シャッタ速度切替レバー６４が回動し、図９（Ｂ）に示す低速シャッタ位置に保持される。このとき、絞り板に形成された光軸上の大絞り開口５１が有効となり大絞り状態となる。
【００４０】
図９（Ａ），（Ｂ）は、切替リング７２の回動に伴ってシャッタ速度切替レバー６４が回動される様子を上方から眺めた図である。シャッタ速度切替レバー６４が同図（Ａ）に示す高速シャッタ位置に保持されているとき、パッド６９はシャッタ羽根６０の突起６０ｅの回動軌道内に挿入されている。この状態でシャッタレリーズが行われると、シャッタ羽根６０は、シャッタ駆動レバーによって突出部６０ｄが蹴飛ばされて回動すると、小絞り開口４４ｂを開放し、図１０（Ａ）に示すように突起６０ｅがパッド６９に衝突する。この衝突の後シャッタ羽根６０は、バネ４１の付勢によって初期位置へと戻り、開閉部６０ｂによって小絞り開口４４ｂを塞ぐ。このように、シャッタ速度切替レバー６４がシャッタ羽根６０の回動範囲を規制することでシャッタ羽根６０が初期位置へ早く復帰するので、シャッタ速度が高速になる。
【００４１】
上記とは逆に、シャッタ速度切替レバー６４が同図（Ｂ）に示す低速シャッタ位置に保持されているとき、パッド６９はシャッタ羽根６０の突起６０ｅの回動軌道から外へ退避されている。この状態でシャッタレリーズが行われると、シャッタ羽根６０は、シャッタ駆動レバーによって突出部６０ｄが蹴飛ばされて回動すると、大絞り開口５１を開放し、突起６０ｅがパッド６９には衝突せず、図１０（Ｂ）に示すような位置まで大きく回動する。この衝突の後シャッタ羽根６０は、バネ４１の付勢によって初期位置へと戻り、開閉部６０ｂによって大絞り開口５１を塞ぐ。このように、シャッタ速度切替レバー６４がシャッタ羽根６０の回動範囲を規制しないので、シャッタ羽根６０の初期位置への復帰が遅くなり、シャッタ速度が低速になる。
【００４２】
このように、第２実施形態の防水型レンズ付きフイルムユニットは、絞り切替えボタン９の操作に応じて、絞りとともにシャッタ速度が切り替わる。この防水型レンズ付きフイルムユニットにおいて、例えば、写真フイルム２６としてＩＳＯ３２００の超高感度フイルムを使用し、絞り切替ボタン９を押さない高速シャッタ・小絞り状態においてシャッタ速度を１／１２０秒、Ｆ値をＦ２２（低露出モード）、絞り切替ボタン９を押した低速シャッタ・大絞り状態においてシャッタ速度を１／４５秒、Ｆ値をＦ４（高露出モード）と構成する。撮影者は、陸上での撮影時には絞り切替ボタン９を押さずに低露出モードで撮影を行い、水中での撮影時には絞り切替ボタン９を押したまま高露出モードで撮影を行えばよい。このようにして、水中撮影での露出不足がより効果的に解消される。
【００４３】
上記第１及び第２実施形態において、手動で操作される絞り切替ボタン９をカバー本体５に設けることにより、露出切り替えを行う操作部を構成した。上記構成に代えて、カバー本体５へ加わる圧力によって切替リング４６（７２）を駆動して露出切り替えを行う圧力駆動機構（圧力駆動手段）を設けてもよい。
【００４４】
図１１（Ａ）に示すように、カバー本体５は、上記第１及び第２実施形態で設けたボス５ａが廃され、代わりに開口８０が形成されている。カバー本体５の外側には、開口８０を水密に覆うように、常温でゴム状の弾性を有するエラストマー等の軟質性樹脂膜８１が形成されている。なお、カバー本体５は軟質性樹脂膜８１より硬質な不透明プラスチックで形成されている。
【００４５】
また、軟質性樹脂膜８１には、開口８０をユニット本体側に突き抜け、さらに遮光カバー２１ａに形成された前述の孔３０を突き抜ける突部８１ａが一体に形成されている。図１１（Ｂ）に示すように、水中撮影時にカバー本体５の外側から所定以上の水圧が加わると、軟質性樹脂膜８１が弾性変形し、突部８１ａはユニット本体側に変位する。突部８１ａは前述の絞り切替ボタン９の棒部材９ａと同様に、延出部４８（７４）に設けられた押圧面４８ｂ（７４ｂ）を押圧し、切替リング４６（７２）を回動させ、露出を高露出モードに切り替える。また、陸上撮影時には、上記水圧は解除され、同図（Ａ）のように軟質性樹脂膜８１の形状が初期の状態へと復帰すると、突部８１ａによる押圧面４８ｂ（７４ｂ）の押圧が解除され、露出が高露出モードに切り替わる。このように、陸上撮影と水中撮影とにおいて、撮影者が露出切り替え操作をすることなく外圧の変化により自動的に露出の切り替えが行われる。
【００４６】
上記第１実施形態においては、絞り切替機構をユニット本体４の内部に設け、また、上記第２実施形態においては、絞り切替機構及びシャッタ速度切替機構をユニット本体４の内部に設けることによって、露出の切り替えを行い得るようにしたが、本発明はこれに限られるものではない。本発明の第３実施形態として、ユニット本体４の内部に絞り切替機構やシャッタ速度切替機構を設けず、減光効果を有するＮＤ（Neutral Densitiy）フィルタをユニット本体４から露呈した撮影レンズ１２の前面側に挿脱するように切り替えるフィルタ切替機構（第３露出切替手段）設けることで、露出の切り替えを行い得るようにしてもよい。
【００４７】
図１２に示すように、フィルタ切替板９０がカバー本体５の背面側に配設されている。フィルタ切替板９０の中央部には、カバー本体５の背面に形成された不図示のピンに挿通されて揺動自在に保持される孔９０ａが設けられ、一端にはＮＤフィルタ９０ｂが設けられ、他端にはリンク部材９２と係合するピン９０ｃが設けられている。リンク部材９２には、ピン９０ｃに挿通されて揺動自在に保持される孔９２ａが設けられ、カバー本体５に対向する前面が押圧面９２ｂとなっている。押圧面９２ｂが形成された部分のリンク部材９２の肉厚は下方へ向かうに従って薄くなっている。また、リンク部材９２の背面には、バネ９３の一端が掛けられるバネ掛けピン９２ｃが設けられている。バネ９３の他端は、図示しないが、カバー本体５の背面に設けられたピンに掛けられ、リンク部材９２を介してフィルタ切替板９０を図中時計回り方向に付勢する。
【００４８】
カバー本体５の前面における前述のボス５ａの孔にはパッキン３１が収容され、ボス５ａの外周にバネ３２が組み付けられている。第１及び第２実施形態の絞り切替ボタン９と同様な構成のフィルタ切替ボタン９４は、その背面に円柱状の棒部材９４ａが接合されている。棒部材９４ａは、パッキン３１を介してボス５ａの孔を挿通し、カバー本体５の背面側に突き抜けている。パッキン３１は、棒部材９４ａのカバー本体５に対する前後の摺動を許容し、かつ、ボス５ａと棒部材９４ａとの間を水密に保持する。また、棒部材９４ａは、フィルタ切替ボタン９４が押圧操作されたときリンク部材９２の押圧面９２ｂに接触し、押圧面９２ｂは棒部材９４ａの移動方向に対して傾斜している。
【００４９】
フィルタ切替ボタン９４が押圧操作されず、棒部材９４ａが押圧面９２ｂから離間した状態にあるとき、ＮＤフィルタ９０ｂが撮影レンズ１２の前面を覆うように撮影光軸上に配置される。フィルタ切替ボタン９４が押圧操作されると、棒部材９４ａが押圧面９２ｂを押圧し、リンク部材９２が上方へ変位し、フィルタ切替板９０を図中反時計回り方向に回動することにより、ＮＤフィルタ９０ｂが撮影レンズ１２の前面から退避する。
【００５０】
この第３実施形態の防水型レンズ付きフイルムユニットにおいて、例えば、写真フイルム２６としてＩＳＯ１６００の高感度フイルムを使用し、シャッタ速度を１／１４０秒、絞り（Ｆ値）をＦ１０、ＮＤフィルタ９０ｂのＮＤ濃度を０．３と構成することが好適である。また、写真フイルム２６としてＩＳＯ３２００の超高感度フイルムを使用し、シャッタ速度を１／１００秒、絞り（Ｆ値）をＦ８、ＮＤフィルタ９０ｂのＮＤ濃度を１．０と構成することも好ましい。撮影者は、このようにフィルタ切替ボタン９４を押すか否かでＮＤフィルタ９０ｂによって被写体光の光量を低減させるか否かを切り替えることができ、陸上での撮影時にはフィルタ切替ボタン９４を押さずに低露出モードで撮影を行い、水中での撮影時にはフィルタ切替ボタン９４を押したまま高露出モードで撮影を行えばよい。このようにして、水中撮影での露出不足が解消される。
【００５１】
また、図１１で示した上記第１及び第２実施形態の変形例と同様に、フィルタ切替ボタン９４を廃し、代わりに、カバー本体５へ加わる水圧によってリンク部材９２の押圧面９２ｂを押圧する圧力駆動機構（圧力駆動手段）を設けることで、外圧の変化に応じてＮＤフィルタ９０ｂを撮影光軸上に挿脱させることも可能である。これにより、陸上撮影と水中撮影とにおいて、撮影者が露出切り替え操作をすることなく外圧の変化により自動的に露出の切り替えが行われる。
【００５２】
なお、上記第３実施形態では、従来のユニットをそのまま用いることができるという効果を考慮してユニット本体４に変更を加えず、内部に絞り切替機構やシャッタ速度切替機構を設けない例を示したが、これに限定されず、ユニット本体４に絞り切替機構を備えた上記第１実施形態と、ユニット本体４に絞り切替機構及びシャッタ速度切替機構を備えた上記第２実施形態とのそれぞれに第３実施形態のフィルタ切替機構を適用するようにしてもよい。
【００５３】
上記各実施形態では、レンズ付きフイルムユニットを例に説明したが、レンズ付きフイルムユニットと類似した機構を有するカメラなどにも適用することができる。
【図面の簡単な説明】
【００５４】
【図１】第１実施形態の防水型レンズ付きフイルムユニットの斜視図である。
【図２】ユニット本体及び絞り切替ボタンの分解斜視図である。
【図３】絞り切替機構の構成を示す分解斜視図である。
【図４】小絞り状態にある切替リング及び絞り切替板を示す図であって、（Ａ）は正面図、（Ｂ）は延出部の側面図である。
【図５】大絞り状態にある切替リング及び絞り切替板を示す図であって、（Ａ）は正面図、（Ｂ）は延出部の側面図である。
【図６】第２実施形態の防水型レンズ付きフイルムユニットにおける絞り切替機構及びシャッタ速度切替機構の構成を示す分解斜視図である。
【図７】小絞り・高速シャッタ状態にある切替リング及び絞り切替板を示す図であって、（Ａ）は正面図、（Ｂ）は延出部の側面図である。
【図８】大絞り・低速シャッタ状態にある切替リング及び絞り切替板を示す図であって、（Ａ）は正面図、（Ｂ）は延出部の側面図である。
【図９】シャッタ速度切替レバーが回動される様子を上方から眺めた図であって、（Ａ）は高速シャッタ状態、（Ｂ）は低速シャッタ状態を示す図である。
【図１０】切替リング及びシャッタ羽根を示す正面図であって、（Ａ）は小絞り・高速シャッタ状態、（Ｂ）は大絞り・低速シャッタ状態を示す図である。
【図１１】外圧の変化によって露出切り替えを行い得るようにした変形例を示す断面図であって、（Ａ）は陸上撮影時状態、（Ｂ）は水中撮影状態を示す図である。
【図１２】フィルタ切替機構を備えた第３第２実施形態の防水型レンズ付きフイルムユニットの分解斜視図である。
【符号の説明】
【００５５】
２  防水型レンズ付きフイルムユニット
３  防水カバー
４  ユニット本体
５  カバー本体
６  蓋体
９  絞り切替ボタン
９ａ  棒部材
４０  シャッタ羽根
４４  絞り切替板
４４ｂ  小絞り開口
４６  切替リング
４８  延出部
４８ｂ  押圧面
５１  大絞り開口
６０  シャッタ羽根
６４  シャッタ速度切替レバー
７２  切替リング
７４  延出部
７４ｂ  押圧面
８１  軟質性樹脂膜
８１ａ  突部
９０  フィルタ切替板
９０ｂ  ＮＤフィルタ
９２  リンク部材
９２ｂ  押圧面
９４  フィルタ切替ボタン
９４ａ  棒部材
【図１】
2005283642.tif 000003
【図２】
2005283642.tif 000004
【図３】
2005283642.tif 000005
【図４】
2005283642.tif 000006
【図５】
2005283642.tif 000007
【図６】
2005283642.tif 000008
【図７】
2005283642.tif 000009
【図８】
2005283642.tif 000010
【図９】
2005283642.tif 000011
【図１０】
2005283642.tif 000012
【図１１】
2005283642.tif 000013
【図１２】
2005283642.tif 000014